(57)【特許請求の範囲】
【請求項１】
フィーラ型センサ装置の取付構造であって、フィーラ軸の一端はスナップフィット形状とし、センサ取付部にはキー溝を形成した軸挿入孔を穿ち、該フィーラ軸はスナップの突片と該キー溝とが合うように回転して取付けたことを特徴とするセンサ装置。
【請求項２】
請求項１記載のセンサ装置は、記録紙給紙カセットに適用されるものとしたことを特徴とするセンサ装置。
【発明の詳細な説明】
【０００１】
【発明の属する技術分野】
本発明は、特に、複写機や、ファクシミリ機能と複写機能を兼備するような画像記録装置等に装備される給紙カセット等に適用されるフィーラ型センサ装置のフィーラ軸の取付構造に関する。
【０００２】
【従来の技術】
従来、複写機や、ファクシミリ機能と複写機能を兼備するような画像記録装置等において、積載される記録紙より一枚ずつ給紙する構造の給紙カセットを装備するタイプのものが公知となっているが、この給紙カセットでは、給紙カセット内の紙の有無を検出するため、或いは、その後の記録紙の搬送行程の搬送駆動タイミングや紙詰まり発生の有無等を認識すべく、フィーラ型センサ装置を適用するものが公知となっている。これは、紙の当接に伴うフィーラの動きを光電部にて感知する構造のものである。
そして、フィーラ型センサ装置を構成する際において、フィーラのフィーラ軸の取付には、一端側をスナップフィット方式やダブルＤカット方式が採用されている。
【０００３】
【発明が解決しようとする課題】
ところが、フィーラ軸の取付をスナップフィット方式で行う場合は、フィーラ軸が折れたり、衝撃によって外れやすいという欠点がある。また、ダブルＤカット方式では、軸端が軸心と平行な面でカットされているため、フィーラ軸の回転によって該フィーラ軸が抜けてしまうことがあった。
加えて前記両方式では、フィーラ軸をセンサ取付部に軸支する工程が複雑となっていた。
【０００４】
【課題を解決するための手段】
本発明の解決しようとする課題は以上の如くであり、次に該課題を解決するための手段を説明する。
即ち、請求項１においては、フィーラ型センサ装置の取付構造であって、フィーラ軸の一端はスナップフィット形状とし、センサ取付部にはキー溝を形成した軸挿入孔を穿ち、該フィーラ軸はスナップの突片と該キー溝とが合うように回転して取付けたものである。
【０００５】
請求項２においては、前記センサ装置は、記録紙給紙カセットに適用されるものとしたものである。
【０００６】
【発明の実施の形態】
次に本発明の実施例を説明する。図１は本発明のフィーラ型センサ装置を示す平面図であり、図２は同じく正面断面図であり、図３は同じく側面断面図であり、図４はフィーラ軸の取付状態を示す平面図であり、図５はフィーラ軸の端部断面形状を示す図であり、図６はフィーラ軸支用垂直面部の挿入孔を示す側面図であり、図７はカセットユニットを装着した画像記録装置の全体斜視図であり、図８はカセットユニット本体より記録紙給紙カセットを抜いた状態のカセットユニットの斜視図であり、図９はカセットユニットを装着した画像記録装置の側面断面図であり、図１０は従来のスナップフィット形状のフィーラ軸の取付状態を示す平面図であり、図１１は従来のスナップフィット形状のフィーラ軸の端部断面形状を示す図であり、図１２は従来のダブルＤカット形状のフィーラ軸の取付状態を示す平面図であり、図１３は従来のダブルＤカット形状のフィーラ軸の端部断面形状を示す図であり、図１４は従来のセンサ装置の軸支部の挿入孔を示す側面図である。
【０００７】
図１から図３より、本発明に係るフィーラ型センサ装置Ｓの組立構造について説明する。
フィーラ型センサ装置Ｓはセンサ取付部材（センサ取付部）１、光センサ３、フィーラ４より構成される。まず、センサ取付部材１の構成について説明する。センサ取付部材１は、金属板材を曲折加工して、光センサ取付用水平面部Ａ、フィーラ軸支用垂直面部Ｂ・Ｃ、嵌設用水平面部Ｄ１・Ｄ２等を形成している。
【０００８】
フィーラ４は、被検出体に接触して揺動するようになっており、フィーラ４は揺動支点軸となるフィーラ軸４０に一体的に固定されている。該フィーラ軸４０の両端を端部４１・４２とする。
また、前記フィーラ軸支用垂直面部Ｂ・Ｃにはそれぞれ挿入孔１ｂ・１ｃが設けられており、該フィーラ軸４０の端部４１・４２を軸支可能にしている。なお、該フィーラ軸４０のセンサ取付部材１への取付けの手順は、後述する。
【０００９】
光センサ取付用水平面部Ａは前後左右中央部に挿入孔１ａを設けており、該挿入孔１ａを通じて光センサ３の下部を挿入可能としている。
そして該光センサ３を前記センサ取付部材１に取付けたときには、挿入孔１ａを通して、下方に光センサ３が突出された状態となっている。該光センサ３には切欠部３ａが設けられていて、該切欠部３ａの一側が投光部、他側が受光部となっていて、該切欠部３ａを横切る光通路が形成される。図３中のＬはこの光通路の断面である。
フィーラ４に被検出体が当たらない状態の時には、図３中αの状態の如く、フィーラ４の頭部は自重で下がった状態になっており、光センサ３における投光部から受光部への光通路は遮られず、このセンサ装置Ｓにて被検出体の存在を検出しない状態である。ここでフィーラ４の頭部とは、該フィーラ４の端部のうち、前記光センサ配設側に位置する端部のことである。
そして、図３中の如く被検出体Ｐが当接して、フィーラ４の下端に当たり、該フィーラ４の下端を押し上げると、フィーラ４の頭部は、図３中βの如く、フィーラ軸４０を揺動支点軸として、前記切欠部３ａ内部にフィーラ４の頭部が嵌入する状態となる。これで光センサ３における光通路は遮断され、被検出体（以下、記録紙とする）の存在が検出された状態となる。
【００１０】
前記フィーラ軸４０のセンサ取付部材１への取付に際しては、まず、図２中Ｘの如く、センサ取付部材１の下方から、端部４１が上方となるようにフィーラ軸４０を傾斜させて、該端部４１を前記挿入孔１ｂに挿入する。
フィーラ軸４０は端部４１・４２で、径を小さくしており、該端部４１・４２の内側の大径部４３は該端部４１・４２より大径としている。このため端部４１を前記挿入孔１ｂに挿入する際には、大径部４３の端部が前記フィーラ軸支用垂直面部Ｂに当接するまで、該端部４１を挿入させることが出来る。
前述のように端部４１をフィーラ軸支用垂直面部Ｂ側へ挿入させるとき、フィーラ軸４０がフィーラ軸支用垂直面部Ｂ側に移動している。また、端部４１は十分長く設けられており、該挿入時に、該端部４２が前記フィーラ軸支用垂直面部Ｃの内側に位置するようにしている。このため、該端部４２を該フィーラ軸支用垂直面部Ｃの内側より、前記挿入孔１ｃに向けて挿入させることが出来る。なお、該端部４２の該挿入孔１ｃへの挿入については、後述する。
【００１１】
このフィーラ軸４０は抜けないように、従来の構成ではスナップフィット形状に形成したり、ダブルＤカット形状に形成していた。
スナップフィット方式のフィーラ軸５０を図１０、図１１より説明する。ここで、該フィーラ軸５０の両端を端部５１・５２とし、センサ装置５３は該フィーラ軸５０を軸支するものとし、該センサ装置５３は前記センサ装置Ｓと同様の構成とする。
該フィーラ軸５０はフィーラ５を固設しており、該フィーラ５は光センサ３に嵌入自在としている。そして、軸支部５４・５５は前記フィーラ軸支用垂直面部Ｂ・Ｃに相当するものとし、該軸支部５４・５５には挿入孔５４ａ・５５ａが設けられており、該挿入孔５４ａ・５５ａは該フィーラ軸５０の端部５１・５２を挿通するようにしている。
フィーラ軸５０のセンサ装置５３への取付けは、まず該フィーラ軸５０をセンサ装置５３に対して傾斜させて、端部５２を該挿入孔５４ａへ十分に挿入させる。このとき端部５２は軸支部５５の内側に位置する。そして、該端部５２を該軸支部５５の内側より、該挿入孔５５ａに向けて挿入させる。ここで、挿入孔５４ａ・５５ａはフィーラ軸５０の外周形状と同じく円形状に形成されて、該フィーラ軸５０を回転自在としている。
【００１２】
端部５２は直径方向で切り欠かれて二股に形成されており、該二股の一方には外周上に突片５２ａが突設されている。以上の構成により、端部５２をスナップフィット形状としている。端部５１がスナップフィット形状を形成したことにより、前記二股を外側から押圧することで該二股間の距離を短縮し、突片５２ａを設けた端部５２が、挿入孔５５ａを挿通することを可能としている。
突片５２ａは軸端側の端部では、該端部５２の挿入を容易とするように傾斜して形成されている。また、該突片５２は軸内側の端部では該端部５２の脱落を防止すべく、軸方向に対して垂直に形成されている。そして該突片５２ａが一旦挿入孔５５ａに挿通されたならば、フィーラ軸５０が軸支部５４側へ移動する際には、該突片５２ａの端部が前記軸支部５５に当接して、該フィーラ軸５０の端部５１側への脱落を防止する。
また、軸支部５５の側面には制止板５６が設けられており、端部５１が該制止板５６に当接して、フィーラ軸５０が端部５２側へ脱落するのを防止している。
【００１３】
また、ダブルＤカット方式のフィーラ軸６０を図１２、図１３より説明する。ここで、該フィーラ軸６０の両端を端部６１・６２とし、センサ装置６３は該フィーラ軸６０を軸支するものとし、該センサ装置６３は前記センサ装置Ｓと同様の構成とする。該フィーラ軸６０はフィーラ６を固設しており、該フィーラ６は光センサ３に嵌入自在としている。そして、軸支部６４・６５は前記フィーラ軸支用垂直面部Ｂ・Ｃに相当するものとし、該軸支部６４・６５には挿入孔６４ａ・６５ａが設けられており、該挿入孔６４ａ・６５ａは該フィーラ軸６０の端部６１・６２を挿入するようにしている。
フィーラ軸６０のセンサ装置６３への取付けは、まず該フィーラ軸６０をセンサ装置６３に対して傾斜させて、端部６１を該挿入孔６４ａへ挿入させる。ここで、フィーラ軸６０は端部６１で径を小さくしており、端部６１のみが該挿入孔６４ａに挿入されて、該フィーラ軸６０自体は軸支部６４側へ殆ど移動しないようにしている。
【００１４】
前記端部６２は断面を二箇所でＤ形状の切欠を設けており、該断面は略矩形状のダブルＤカット形状に形成されている。そして前記軸支部６５には、図１４に示すように、前記挿入孔６５ａと外部とを接続する溝６５ｂが穿設されており、該溝６５ｂはダブルＤカット形状に形成された端部６２を挿入可能とし、フィーラ軸６０の挿通は制止している。
そして、前記端部６１を回動支点として、該溝６５ｂに端部６２を嵌挿しながら該端部６２を移動させて、最終的に該端部６２は前記挿入孔６５ａにて該軸支部６５に軸支される。
【００１５】
ところが、前記のスナップフィット形式のフィーラ軸５０では過負荷が加わると折れることがある。また、折れることを防止するために、前記切欠を少なくして前記二股の肉厚を厚くすると、剛性が大きくなって曲がり難くなるため前記突片５２ａの突出長さを短くする必要があり、抜けやすくなってしまう。
また、ダブルＤカット形式のフィーラ軸６０は過負荷が加えられた場合、抜けることがある。ダブルＤカット形状の肉厚を薄くすると負荷に対する抵抗力が弱くなって、該フィーラ軸６０の回転時に、該端部６２が前記挿入孔６５ａより抜けやすくなる。また、該肉厚を厚くした場合は、該端部６２が前記溝６５ｂから抜けやすくなってしまう。
さらに、スナップフィット方式、ダブルＤカット方式のいずれのフィーラ軸においても、断面の肉厚を薄くすると、断面形状が円形状から遠ざかり、該フィーラ軸回転時の滑らかさが失われてしまう。
【００１６】
そこで本発明のセンサ装置Ｓでは、前記フィーラ軸４０の一端たる端部４２はスナップフィット形状とし、前記フィーラ軸支用垂直面Ｃにはキー溝を形成した軸挿入孔１ｃを穿っている。なお、該フィーラ軸支用垂直面Ｃは前記センサ取付部に形成されている。
そしてフィーラ軸４０は、スナップの突片４２ａと該キー溝とが合うように回転して取付けるようにしている。
【００１７】
前記端部４２は、図４、図５に示すように、軸断面にコ字形状の切欠４２ｂを設けており、該端部４２は該切欠４２ｂによって分割されて二股に形成されている。そして、該二股を形成する分岐部４２ｃ・４２ｄのうち、断面積の小さい側の分岐部４２ｃの外周上には、突片４２ａが突設されている。以上構成より端部４２はスナップフィット形状を形成しており、突片４２ａは取付の際のスナップとして働くものである。
また、端部４２は該切欠４２ｂを設けているにも関わらず前記端部５２と異なり、断面形状を略円形状に維持している。したがって、該端部４２が前記挿入孔１ｃに軸支されるとき、フィーラ軸４０を滑らかに回転させることが出来るようにしている。
【００１８】
図６に示すように、前記挿入孔１ｃはキー溝を形成しており、円と矩形を連続成形した形状をしている。そして該キー溝の矩形部１ｄの幅は、前記突片４２ａの幅に合わせるように形成されている。また、該矩形部１ｄの高さは、該突片４２ａの突出長さよりは短く形成されている。
そして、端部４２を該挿入孔１ｃに挿入する際、前記分岐部４２ｃ・４２ｄを押圧して該分岐部間の距離を短縮するのであるが、前記矩形部１ｄが設けられているので、該突片４２ａが該矩形部１ｄの高さに収まるまで押圧すれば、該端部４２を該挿入孔１ｃに挿入することが出来る。該挿入の際はまず、フィーラ軸４０を回転させて、該突片４２ａと前記キー溝の該矩形部１ｄとを合わせるようにする。
このため、前記端部５２の場合と比べて、小さな押圧力で端部４２を該挿入孔１ｃに挿入することを可能としている。一つの理由は、分岐部４２ｃの断面積を分岐部４２ｄの断面積と比べて小さく形成しているため、押圧に要する力が小さくて済むためである。もう一つの理由は、該挿入孔１ｃに矩形部１ｄが形成されているため、該矩形部４２ｄの高さまで該突片４２ａを押圧すればよいからである。
【００１９】
前記突片４２ａの端部は軸端側で挿入を容易とするように傾斜して形成され、該突片４２の端部は軸内側では脱落を防止すべく、軸方向に対して垂直に形成されている。そして該突片４２ａが一旦挿入孔１ｃを挿入したならば、フィーラ軸４０がフィーラ軸支用垂直面部Ｂ側へ移動する際には、該突片４２ａの端部が前記フィーラ軸支用垂直面部Ｃに当接して、該フィーラ軸４０が端部４１側へ脱落するのを防止する。
また、該フィーラ軸４０の端部４２側への脱落は、前記大径部４３の端部が該フィーラ軸支用垂直面部Ｂに当接して該フィーラ軸４０の移動を規制することで、防止している。
【００２０】
以上のようにして構成されるフィーラ型センサ装置Ｓの適用例として、図７から図９より画像記録装置の記録紙給紙カセットへの適用例を説明する。ここで該画像記録装置の正面を、記録紙搬送方向である図中矢印Ｚの向きとする。
まず、カセットユニット６の構成について説明する。該カセットユニット６は、カセットユニット本体６Ｂ内に記録紙給紙カセット６Ａを挿入してなるものである。図８に、記録紙給紙カセット６Ａをカセットユニット本体６Ｂより抜いた状態を示している。
記録紙給紙カセット６Ａ内においては、その前後内側面に記録紙押上板７の枢支部７ａを枢支して、該記録紙押上板７を上下回動自在に取り付けており、回動側端の下面と該記録紙給紙カセット６Ａとの間には、図９に示す如く、バネ８が介装されていて、該記録紙押上板７の回動側端を上方に付勢している。また、該記録紙押上板７の該記録紙給紙カセット６Ａ底部への枢支側端に沿うように、該底部に縦ガイド部材９を立設しており、該縦ガイド部材９は記録紙押上板７上に載置する記録紙の縦長に応じて摺動可能となっている。
【００２１】
記録紙押上板７の前後には、該記録紙押上板７上に載置する記録紙の前後端部（記録紙から見れば両側端部）に接触するよう、垂直板である紙幅ガイド板１０・１０を立設する。該記録紙給紙カセット６Ａの底面には、該紙幅ガイド板１０の下端を嵌挿するための何条かの位置決め溝６ａが形成されていて、記録紙の規格サイズに合わせていずれかの位置決め溝６ａに紙幅ガイド板１０の下端を挿入して立設し、両紙幅ガイド板１０・１０間の間隔を、紙幅に合わせるのである。また、記録紙押上板７の回動端の上動は、その両隅部が、紙幅ガイド板１０の端部に敷設された爪部材１０ａ・１０ａにて抑止されることで規制されており、記録紙押上板７上に堆積した記録紙の最上部の両隅部も、該爪部材１０ａ・１０ａにて抑止される。
【００２２】
以上のような構成の記録紙給紙カセット６Ａを、カセットユニット本体６Ｂ内に装着して、記録紙を一枚ずつ給紙できるカセットユニット６が完成する。該カセットユニット本体６Ｂには、装着した記録紙給紙カセット６Ａの記録紙押上板７上方に配置される上フレーム板１１が配設され、該記録紙押上板７の回動側端の上方位置には、ピックアップローラー１２を環設するピックアップローラー軸１２ａが軸支されている。また、該上フレーム板１１より記録紙搬出側にて、側面視傾斜状に給紙ガイド面６ｂが形成されており、その途中部には給紙ローラー１６・１７が配設されている。該給紙ローラー１６のローラー軸（給紙ローラー軸１６ａ）の両端と、該ピックアップローラー軸１２ａの両端との間には、ギヤ機構Ｇが介設されており、カセットユニット６を装置本体１８の底部に装着すると、装置本体１８内のギア伝動機構に、給紙ローラー軸１６ａ付設のギアが噛合して、装置本体１８内の駆動装置により給紙ローラー軸１６ａが伝動され、該ギヤ機構Ｇを介して、ピックアップローラー軸１２ａに伝動される。従って、ピックアップローラー１２の回転と給紙ローラー１６・１７の回転とは同期する。但しピックアップローラー１２の回転は、後記一回転クラッチ１３にて一回転に制御される。
【００２３】
更に、カセットユニット本体６Ｂの一画には搬送制御部Ｅが形成されていて、この中で、該ピックアップローラー軸１２ａの一端に一回転クラッチ１３が取り付けられている。給紙ローラー軸１６ａよりギヤ機構Ｇを介しての伝動に対し、ピックアップローラー軸１２ａは、該一回転クラッチ１３の制御にて一回転し、その一回転中に、記録紙押上板７上に積載された記録紙の最上部の一枚にピックアップローラー１２が押しつけられる。ピックアップローラー１２と記録紙との摩擦力は記録紙同士の摩擦力に勝るため、最上部の一枚が押し出され、その両隅部は、前記爪部材１０ａ・１０ａより外れて更に押し出され、該給紙ガイド面６ｂに沿ってピックアップローラー１２にて押し出される記録紙が、回転する該給紙ローラー１６・１７間を通過して、上方に給送されるのである。
【００２４】
本実施例では、フィーラ型センサＳは主として記録紙の有無の検出に使用することから、ピックアップローラー軸１２ａの直前部（搬送上流側）に配設される。なお、通紙（紙詰まり）の検出を主目的とすれば、ピックアップローラー軸１２ａの下流側の方がよい。更に、後記記録部Ｈとの同期（例えば、給紙後何秒かして記録部Ｈの後記感光体ドラム２４が回転しはじめる等）を目的とする場合には、装置本体１８における後記記録紙搬送経路Ｆに配設する等すればよい。
本実施例におけるフィーラ型センサＳの取付構造について説明すると、該カセットユニット本体６Ｂの上フレーム板１１において、該ピックアップローラー軸１２ａの直前部にフィーラ型センサＳのフィーラ部分を嵌挿するためのフィーラ嵌挿孔１１ａが穿設されている。そして該フィーラ嵌挿孔１１ａ外周部は、該ピックアップローラー軸１２ａ配設側で切欠部１１ｂ・１１ｃを設けており、該切欠部１１ｂ・１１ｃで上フレーム板１１は肉厚を薄くして、前記嵌設用水平面部Ｄ１・Ｄ２を嵌入可能としている。
センサ装置Ｓは、フィーラ４を下にした状態で、フィーラ４及びフィーラ軸支用垂直面部Ｂ・Ｃを上方より該フィーラ嵌挿孔１１ａに嵌挿する。そして、嵌設用水平面部Ｄ１・Ｄ２を前記切欠部１１ｂ・１１ｃに嵌入して、センサ装置Ｓを固定する。また、前記搬送制御部Ｅには搬送コントローラーが配設されており、前記コネクタ２と該搬送コントローラーとの間には、ハーネス１５が連結されており、光センサ３にて光の通過状態を電気信号化して搬送コントローラーに入力するものであり、この入力に基づき、一回転クラッチ１３の制御、更に、装置本体１８内の給紙用伝動装置や警報装置の制御がなされる。なお、図３ではセンサ装置Ｓを左側面より見ており、図９では該センサ装置Ｓ右側面から見ているため、相互に逆向きとなっている。
【００２５】
こうして取り付けられたフィーラ４は、該上フレーム板１１の下方における記録紙給紙カセット６Ａにて、記録紙押上板７上に臨む状態となるが、該記録紙押上板７には、図８の如く、フィーラ４の対応部分に切欠７ｂが設けられている。フィーラ４は、記録紙押上板７上に記録紙がある場合には、これに当接して、図３中βの状態、即ち、検出状態となっている。そして、記録紙が記録紙押上板７上よりなくなると、フィーラ４は、自重で回動して切欠７ｂ内に落ち込み、図３中αの状態、即ち、非検出状態となる。この時、後程の記録紙の搬送制御手段等の停止や記録紙の補充に関する警報を発するように、搬送コントローラーより出力信号が発せられる。
【００２６】
最後に、該カセットユニット６を装着する対象としての、図７から図９に図示の画像記録装置について説明する。カセットユニット６は、図７等の如く、画像記録装置の装置本体１８の底部に取付可能となっており、取り付けた状態において図９の如く、装置本体１８内にて、該カセットユニット６の給紙ガイド面６ｂ上端より、上方に向けて、記録紙搬送経路Ｆが形成されている。該記録紙搬送経路Ｆは該画像記録装置の底部に形成される記録紙手差しトレイ１９にも連通しており、記録紙手差しトレイ１９に積載した記録紙か、カセットユニット６内に充填した記録紙か、いずれかが選択され、記録紙搬送経路Ｆへと転送される。
【００２７】
該記録紙搬送経路Ｆに沿って、記録部Ｈが形成されている。即ち、該記録紙搬送経路Ｆ上において、転写ローラー２０及び定着器２１が配設され、また、レーザーユニット２２が配設されている。そして、着脱自在にトナーカセット２３と感光体ドラム２４が配設される。該感光体ドラム２４は、転写ローラー２０に圧接するように配設され（詳しくは、転写ローラー２０と感光体ドラム２４との間を記録紙が通過する。）、また、トナーカセット２３は、感光体ドラム２４の表面にトナーを付着させるように配設される。記録紙への記録について説明すると後記の原稿読取部Ｊにて記憶された原稿画像の電気信号か、或いはファクシミリ受信による信号に基づいて、レーザーユニット２２より感光体ドラム２４の表面にレーザー照射され、感光体ドラム２４の表面に静電潜像が形成され、この静電潜像にトナーが付着され、感光体ドラム２４と転写ローラー２０との間を記録紙が通過する際に、感光体ドラム２４上に付着したトナーが記録紙に付着する。更に記録紙が搬送され、定着器２１を通過する際に加熱されて、付着したトナーが記録紙に定着する。こうして、記録紙上に記録がなされ、記録済記録紙は、装置本体１８の最上部に配設された記録済記録紙排出トレイ２５に排出されるのである。
【００２８】
側面視にて、該記録済記録紙排出トレイ２５は、装置本体１８上部に形成される原稿搬送カバー部１８ａの一部を兼ねており、該原稿搬送カバー部１８ａ内には図９の如く、倒Ｕの字状の原稿搬送経路を形成する自動原稿搬送ユニットＩが内設されている。該原稿搬送カバー部１８ａの右外側部において、上方に原稿供給口を、下方に原稿排出口を形成して、該原稿供給口には、側面視傾斜状に原稿供給トレイ２６を取り付けている。該装置本体１８において、原稿搬送カバー部１８ａの下方は画像読取カバー部１８ｂとなっていて、該画像読取カバー部１８ｂの右外側部には、側面視略水平状に原稿排出トレイ２７を取り付けている。該画像読取カバー部１８ｂ内は、該原稿搬送カバー部１８ａ内に配設した自動原稿搬送ユニットＩの下方に該当し、ここに、光学系画像読取装置よりなる画像読取部Ｊを形成しており、ここでは、自動原稿搬送ユニットＩにて搬送される原稿の画像を光学的に読み取り、これを電気信号化するものである。
【００２９】
【発明の効果】
請求項１記載の如く、フィーラ型センサ装置の取付構造であって、フィーラ軸の一端はスナップフィット形状とし、センサ取付部にはキー溝を形成した軸挿入孔を穿ち、該フィーラ軸はスナップの突片と該キー溝とが合うように回転して取付けたので、軸挿通孔にキー溝を形成しない場合と比べて小さな力で軸端部を該センサ取付部に挿入してスナップを効かせて、該フィーラ軸の抜けを防止できる。
同時に、該フィーラ軸のセンサ装置への組立を容易とし、破損防止も実現されている。
【００３０】
請求項２記載の如く、前記センサ装置は、記録紙給紙カセットに適用されるものとしたので、簡素で低コストで抜け防止が施されたフィーラ型センサ装置を有する記録紙給紙カセットを提供でき、記録紙給紙カセットそのものの組立工数の削減、低コスト化を図ることが出来る。
【図面の簡単な説明】
【図１】本発明のフィーラ型センサ装置を示す平面図である。
【図２】同じく正面断面図である。
【図３】同じく側面断面図である。
【図４】フィーラ軸の取付状態を示す平面図である。
【図５】フィーラ軸の端部断面形状を示す図である。
【図６】フィーラ軸支用垂直面部の挿入孔を示す側面図である。
【図７】カセットユニットを装着した画像記録装置の全体斜視図である。
【図８】カセットユニット本体より記録紙給紙カセットを抜いた状態のカセットユニットの斜視図である。
【図９】カセットユニットを装着した画像記録装置の側面断面図である。
【図１０】従来のスナップフィット形状のフィーラ軸の取付状態を示す平面図である。
【図１１】従来のスナップフィット形状のフィーラ軸の端部断面形状を示す図である。
【図１２】従来のダブルＤカット形状のフィーラ軸の取付状態を示す平面図である。
【図１３】従来のダブルＤカット形状のフィーラ軸の端部断面形状を示す図である。
【図１４】従来のセンサ装置の軸支部の挿入孔を示す側面図である。
【符号の説明】
Ｓ  センサ装置
１  センサ取付部材
１ｃ  挿入孔
６  カセットユニット
６Ａ  記録紙給紙カセット
６Ｂ  カセットユニット本体
４０  フィーラ軸
４２ａ  突片
【図１】
0004081968.tif 000002
【図２】
0004081968.tif 000003
【図３】
0004081968.tif 000004
【図４】
0004081968.tif 000005
【図５】
0004081968.tif 000006
【図６】
0004081968.tif 000007
【図７】
0004081968.tif 000008
【図８】
0004081968.tif 000009
【図９】
0004081968.tif 000010
【図１０】
0004081968.tif 000011
【図１１】
0004081968.tif 000012
【図１２】
0004081968.tif 000013
【図１３】
0004081968.tif 000014
【図１４】
0004081968.tif 000015